(57)【要約】【課題】非接触でインバータ装置の故障履歴を採取することが可能なインバータシステムを提供する。【解決手段】複数台のモータを制御するもので、それぞれのモータの容量に対応したインバータユニットを多段積みで備えるインバータ装置と、電源バックアップ回路を備え、インバータシステムの稼働時の履歴を記録するＩＣタグと、ＩＣタグと交信し、履歴データを非接触で読み取るＩＣタグ読取機と、ＩＣタグ読取機に接続するとともに、読み取った履歴データを解析して、インバータユニットの故障の要因の特定を行うためのプログラムがインストールされているパソコンとを具備することを特徴とするインバータシステム。【選択図】図１
2015091151.tif 000002
【特許請求の範囲】
【請求項１】
複数台のモータを制御するもので、それぞれのモータの容量に対応したインバータユニットを多段積みで備えるインバータ装置と、
電源バックアップ回路を備え、インバータシステムの稼働時の履歴を記録するＩＣタグと、
前記ＩＣタグと交信し、前記履歴データを非接触で読み取るＩＣタグ読取機と、
前記ＩＣタグ読取機に接続するとともに、読み取った前記履歴データを解析して、前記インバータユニットの故障の要因の特定を行うためのプログラムがインストールされているパソコンとを具備することを特徴とするインバータシステム。
【請求項２】
前記ＩＣタグを前記インバータユニット毎に備えることを特徴とする請求項１記載のインバータシステム。
【請求項３】
前記ＩＣタグは、メモリを内蔵し、該メモリのユーザエリアにインバータシステムの稼働時の履歴を記録することを特徴とする請求項１又は請求項２記載のインバータシステム。
【請求項４】
前記ＩＣタグは、アクティブ型のＩＣタグであることを特徴とする請求項１乃至請求項３のいずれか１項に記載のインバータシステム。
【発明の詳細な説明】
【技術分野】
【０００１】
本発明は、インバータシステムに関するものである。
【背景技術】
【０００２】
インバータ装置において、組み込まれている制御装置であるインバータユニットが故障して電源が立ち上がらない場合、インバータ装置の故障履歴を取出すことが出来ない。そのような場合、まず、インバータユニットを修理した後に、インバータ装置の故障履歴を取出す必要がある。
【先行技術文献】
【特許文献】
【０００３】
【特許文献１】特開２００６−３３３６６１号公報
【特許文献２】特開２００８−１７８１５７号公報
【発明の概要】
【発明が解決しようとする課題】
【０００４】
この為、場合によってはインバータユニットの修理に時間がかかり、インバータの故障履歴を取出すことが出来ず、故障原因の解析が遅れることがある。そのため、設備の復旧に時間がかかることもあった。
【０００５】
そこで、本発明は上記のような課題を解決するためになされたものであり、非接触でインバータ装置の故障履歴を採取することが可能なインバータシステムを提供する。
【課題を解決するための手段】
【０００６】
本発明の一態様によれば、複数台のモータを制御するもので、それぞれのモータの容量に対応したインバータユニットを多段積みで備えるインバータ装置と、電源バックアップ回路を備え、インバータシステムの稼働時の履歴を記録するＩＣタグと、前記ＩＣタグと交信し、前記履歴データを非接触で読み取るＩＣタグ読取機と、前記ＩＣタグ読取機に接続するとともに、読み取った前記履歴データを解析して、前記インバータユニットの故障の要因の特定を行うためのプログラムがインストールされているパソコンとを具備するインバータシステムであることを特徴とする。
【発明の効果】
【０００７】
本発明によれば、非接触でインバータ装置の故障履歴を採取することが可能となる。
【図面の簡単な説明】
【０００８】
【図１】本発明の実施形態に係るインバータシステムの全体構成を示す概略図である。
【発明を実施するための形態】
【０００９】
以下、本発明の実施形態について、図面を参照して説明する。尚、各図において同一箇所については同一の符号を付すとともに、重複した説明は省略する。
【００１０】
図１は、本発明の実施形態に係るインバータシステムの全体構成を示す概略図である。このインバータシステムは、非接触でインバータ装置の故障履歴を採取することを可能とするものである。
【００１１】
図１に示すように、インバータシステム１０は、主として、インバータ装置１、ＩＣタグ２、ＩＣタグ読取機３、パソコン４から構成されている。
【００１２】
インバータ装置１は、複数台のモータを制御するもので、直流電圧を変換するコンバータ（図示しない）等の他にそれぞれのモータの容量に対応したインバータユニット１ａ、１ｂ、１ｃ・・・を多段積みで備えている。各インバータユニット１ａ、１ｂ、１ｃ・・・は、駆動するモータの容量に応じた定数等から成る設定値がそれぞれ設定されている。
【００１３】
ＩＣタグ２は、無線データキャリアの一種であり、送受信可能なタグアンテナとＩＣチップとを基板に一体成形した独立の部品である。ＩＣチップには、いずれも図示しないタグアンテナで受信した変調電波を復調して制御部へ送出する復調部、制御部から送出されたデータを変調してタグアンテナに送出する変調部、復調部で復調されたデータのメモリへの書き込みやメモリから送信データを読み出して変調部へ送出する制御部及びメモリが設けられている。
【００１４】
ＩＣタグ２内のメモリには、当該ＩＣタグ２の製造段階で製造業者により割当て設定された固有の無線ＩＤを記憶する無線ＩＤエリア（図示しない）と、ユーザが任意のデータを書き込むことができるユーザエリア（図示しない）とから成る。ユーザエリアにはインバータシステム１０の稼働時の履歴が逐次記録されている。
【００１５】
ＩＣタグ２には電池内蔵のアクティブ型ＩＣタグと、電池なしで電波からのエネルギで動作するパッシブ型ＩＣタグがあるが、本実施形態では、数ｍ近くの通信距離が確保できるアクティブ型ＩＣタグが好適である。さらに、本実施形態に係るＩＣタグは、電源バックアップ回路を備えたものである。
【００１６】
ＩＣタグ読取機３は、送受信アンテナを具備しており、この送受信アンテナの交信エリア内にあるＩＣタグ２のメモリデータを非接触で読み取るものである。ＩＣタグ読取機３は、上位装置であるパソコン４に接続され、いずれも図示しないデータの授受を行うインタフェース部と、ＩＣタグ２との通信や接続するハードウエアを制御するＣＰＵ、動作プログラムを記憶したＲＯＭ、データを一時的に記憶するＲＡＭ等で構成される制御部と、制御部から与えられるデータを無線通信に適した変調信号に変調する変調部と、変調信号を増幅して送受信アンテナから電波として放射させる送信アンプと、アンテナユニットで受信した電波信号を増幅する受信アンプと、増幅された電波信号からデータを復調して制御部に与える復調部とから構成することができる。
【００１７】
ＩＣタグ読取機３は、ＩＣタグ２との交信を行う際には、まず、キヤリア信号を送信部で変調して電力用電波信号として送信アンテナから送信し、その後、送信すべきデータを電力用電波信号に重畳するように送信部で変調して送信アンテナから送信する。
【００１８】
パソコン４には、ＩＣタグ２に記録されたインバータシステム１０の稼働時の履歴を解析して、インバータユニット１０の故障の要因の特定を行うためのプログラムがインストールされている。
【００１９】
本実施形態に係るＩＣタグ２は電源バックアップ回路を備えているので、インバータユニット１０が故障して電源が立ち上がらない場合であっても、インバータシステム１０の稼働時の履歴をＩＣタグ読取機３によってＩＣタグ２から非接触で採取することができる。そして、パソコン４には、インバータユニット１０の故障要因特定用のプログラムがインストールしてあるので、故障原因の解析を早急に実施することが可能となる。
【００２０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２１】
１０・・・インバータシステム
１・・・インバータ装置
１ａ、１ｂ、１ｃ・・・インバータユニット
２・・・ＩＣタグ
３・・・ＩＣタグ読取機
４・・・パソコン
【図１】
2015091151.tif 000003